(57)【要約】【課題】ユーザが設定操作を行わなくても、携帯端末を不正に操作されることを防止したり、携帯端末の紛失時にデータの漏洩を防止できるようにする。【解決手段】操作／アクセス規制手段２１３は、無線ＩＣタグ読込手段２１１が操作／アクセス規制情報１１１の読み込みに失敗した場合には、携帯端末２０１の操作及び携帯端末２０１内のデータへのアクセスを規制するように制御する。また、バックアップデータ送受信手段２１５は、アクセス規制対象データ記憶手段２１４からアクセス規制対象データを抽出し、バックアップサーバ８０１に送信する。バックアップサーバ８０１は、受信したアクセス規制対象データをバックアップデータとしてバックアップデータベース８１２に記憶させる。また、バックアップを完了すると、バックアップデータ送受信手段２１５は、アクセス規制対象データ記憶手段２１４からアクセス規制対象データを削除する。【選択図】図２
2008177736.tif 000002
【特許請求の範囲】
【請求項１】
携帯端末の操作及び前記携帯端末が記憶するデータへのアクセスを規制制御する携帯端末規制方法であって、
携帯端末が、規制制御対象の操作及びデータを示す規制制御情報を予め記憶する情報記憶手段から、無線信号として前記規制制御情報を読み込むステップと、
前記携帯端末が、前記規制制御情報の読込結果に基づいて、当該携帯端末の操作及び当該携帯端末が記憶するデータへのアクセスを規制制御するステップと、
前記携帯端末が、前記規制制御情報の読込結果に基づいて、当該携帯端末が記憶するアクセス規制対象のデータを前記バックアップサーバに送信するステップと、
バックアップサーバが、前記携帯端末から受信したアクセス規制対象のデータを、バックアップデータとしてデータベースに記憶させるステップとを含む
ことを特徴とする携帯端末規制方法。
【請求項２】
携帯端末の操作及び前記携帯端末が記憶するデータへのアクセスを規制制御する携帯端末規制システムであって、
前記携帯端末が記憶するデータをバックアップするバックアップサーバを備え、
前記携帯端末は、
規制制御対象の操作及びデータを示す規制制御情報を予め記憶する情報記憶手段から、無線信号として前記規制制御情報を読み込む情報読込手段と、
前記情報読込手段の読込結果に基づいて、当該携帯端末の操作及び当該携帯端末が記憶するデータへのアクセスを規制制御する規制制御手段と、
前記情報読込手段の読込結果に基づいて、当該携帯端末が記憶するアクセス規制対象のデータを前記バックアップサーバに送信するアクセス規制対象データ送信手段とを含み、
前記バックアップサーバは、前記携帯端末から受信したアクセス規制対象のデータを、バックアップデータとして記憶するバックアップデータ記憶手段を含む
ことを特徴とする携帯端末規制システム。
【請求項３】
携帯端末は、
アクセス規制対象のデータ記憶するアクセス規制対象データ記憶手段と、
バックアップサーバがアクセス規制対象のデータをバックアップデータ記憶手段に記憶させると、前記アクセス規制対象データ記憶手段からアクセス規制対象のデータを削除するアクセス規制対象データ削除手段とを含む
請求項２記載の携帯端末規制システム。
【請求項４】
バックアップサーバは、携帯端末が当該携帯端末の操作及び当該携帯端末が記憶するデータへのアクセスの規制を解除すると、バックアップデータ記憶手段が記憶するバックアップデータを前記携帯端末に送信するバックアップデータ送信手段を含み、
前記携帯端末は、前記バックアップサーバから受信したバックアップデータをアクセス規制対象データ記憶手段に記憶させることによって、アクセス規制対象のデータを復元するデータ復元手段を含む
請求項３記載の携帯端末規制システム。
【請求項５】
規制制御手段は、
情報読込手段が情報記憶手段からの規制制御情報の読み込みに失敗すると、携帯端末の操作及び当該携帯端末が記憶するデータへのアクセスを禁止し、
前記情報読込手段が前記情報記憶手段からの前記規制制御情報の読み込みに成功すると、携帯端末の操作及び当該携帯端末が記憶するデータへのアクセスを許可する
請求項２から請求項４のうちのいずれか１項に記載の携帯端末規制システム。
【請求項６】
アクセス規制対象データ送信手段は、情報読込手段が情報記憶手段からの規制制御情報の読み込みに失敗すると、携帯端末が記憶するアクセス規制対象のデータをバックアップサーバに送信する請求項２から請求項５のうちのいずれか１項に記載の携帯端末規制システム。
【請求項７】
規制制御手段は、情報読込手段が情報記憶手段から読み込んだ規制制御情報に示される携帯端末の操作及び当該携帯端末が記憶するデータへのアクセスを規制制御する請求項２から請求項６のうちのいずれか１項に記載の携帯端末規制システム。
【請求項８】
携帯端末の操作及び前記携帯端末が記憶するデータへのアクセスを規制制御する携帯端末規制システムが含む携帯端末であって、
規制制御対象の操作及びデータを示す規制制御情報を予め記憶する情報記憶手段から、無線信号として前記規制制御情報を読み込む情報読込手段と、
前記情報読込手段の読込結果に基づいて、当該携帯端末の操作及び当該携帯端末が記憶するデータへのアクセスを規制制御する規制制御手段と、
前記情報読込手段の読込結果に基づいて、当該携帯端末が記憶するアクセス規制対象のデータを、当該携帯端末が記憶するデータをバックアップするバックアップサーバに送信するアクセス規制対象データ送信手段とを
備えたことを特徴とする携帯端末規制システムの携帯端末。
【請求項９】
携帯端末の操作及び前記携帯端末が記憶するデータへのアクセスを規制制御するための携帯端末規制プログラムであって、
コンピュータに、
規制制御対象の操作及びデータを示す規制制御情報を予め記憶する情報記憶手段から、無線信号として前記規制制御情報を読み込む処理と、
前記規制制御情報の読込結果に基づいて、前記携帯端末の操作及び前記携帯端末が記憶するデータへのアクセスを規制制御する処理と、
前記情報読込手段の読込結果に基づいて、前記携帯端末が記憶するアクセス規制対象のデータを、前記携帯端末が記憶するデータをバックアップするバックアップサーバに送信する処理とを
実行させるための携帯端末規制プログラム。
【発明の詳細な説明】
【技術分野】
【０００１】
本発明は、携帯端末の操作および携帯端末が記憶するデータへのアクセスを規制制御する携帯端末規制方法、携帯端末規制システム及び携帯端末規制プログラムに関する。本発明は、携帯端末規制システムが含む携帯端末に関する。
【背景技術】
【０００２】
従来、携帯端末の不正利用対策として、指紋認証機能や暗証番号を用いた端末ロック機能等が用いられている。また、携帯端末を紛失したときに不正利用されることを防止するために、遠隔地から操作して携帯端末をロックする機能等も用いられている。
【０００３】
また、例えば、特許文献１には、ＩＣカードから識別情報を読み取る情報端末と、ユーザの携帯通信端末との距離が所定の距離以上となった場合に、情報端末への入力を不可として、ＩＣカードの不正使用を防止する通信システムが記載されている。
【０００４】
また、例えば、特許文献２には、携帯電話端末を紛失した場合に不正使用を防止するためにネットワークを通じて端末を使用不能とする携帯電話端末システムが記載されている。特許文献２に記載された携帯電話端末システムでは、携帯電話端末は、サーバからロック指示を受けると、サーバに情報を転送してバックアップ処理を行い、バックアップ済みの情報を自機から消去する。また、サーバは、ネットワークを通じて携帯電話端末の使用可否を制御する。
【０００５】
【特許文献１】特開２００６−９９２１７号公報（段落００３９−００４２、図２）
【０００６】
【特許文献２】特開２００６−２７９５７２号公報（段落００５５−００６２、図２−３）
【発明の開示】
【発明が解決しようとする課題】
【０００７】
しかし、指紋認証による方法を用いる場合、誤認識により端末ロックをうまくかけられないことがある。また、指紋認証や暗証番号による方法を用いる場合、ユーザが手動で設定操作を行わなければならず、ユーザの手間がかかる。また、ユーザの手動による設定では、ユーザが設定操作を忘れてしまい、携帯端末の不正利用を防止できない可能性がある。
【０００８】
また、遠隔地から操作して携帯端末をロックする方法を用いる場合、携帯端末が電波の届かない場所にある場合にはリモートで端末ロックをかけることができず、携帯端末内のデータが漏洩してしまう虞がある。
【０００９】
また、特許文献１記載の方法を用いれば、ユーザの携帯端末を利用してＩＣカードの不正利用を防ぐことができる。しかし、ユーザが携帯端末を紛失した場合等に携帯端末の不正利用を防止することはできない。また、特許文献２記載の方法を用いれば、ユーザが携帯端末を紛失したときに携帯端末の不正利用をある程度防止することができる。しかし、非接触ＩＣタグの読み取り操作等、ユーザの手動による操作を行わなければならず、ユーザの手間がかかる。また、ユーザが非接触ＩＣタグの読み取り操作を忘れてしまった場合には、携帯端末の不正利用を防止することはできない。
【００１０】
そこで、本発明は、ユーザが設定操作を行わなくても、携帯端末を不正に操作されることを防止したり、携帯端末の紛失時にデータの漏洩を防止できる携帯端末規制方法、携帯端末規制システム、携帯端末及び携帯端末規制プログラムを提供することを目的とする。
【課題を解決するための手段】
【００１１】
本発明による携帯端末規制方法は、携帯端末の操作及び携帯端末が記憶するデータへのアクセスを規制制御する携帯端末規制方法であって、携帯端末（例えば、携帯端末２０１）が、規制制御対象の操作及びデータを示す規制制御情報（例えば、操作／アクセス規制情報１１１）を予め記憶する情報記憶手段（例えば、無線ＩＣタグ１０１）から、無線信号として規制制御情報を読み込むステップと、携帯端末が、規制制御情報の読込結果に基づいて、当該携帯端末の操作及び当該携帯端末が記憶するデータへのアクセスを規制制御するステップと、携帯端末が、規制制御情報の読込結果に基づいて、当該携帯端末が記憶するアクセス規制対象のデータをバックアップサーバ（例えば、バックアップサーバ８０１）に送信するステップと、バックアップサーバが、携帯端末から受信したアクセス規制対象のデータを、バックアップデータとしてデータベース（例えば、バックアップデータベース８１２）に記憶させるステップとを含むことを特徴とする。
【００１２】
本発明による携帯端末規制システムは、携帯端末の操作及び携帯端末が記憶するデータへのアクセスを規制制御する携帯端末規制システムであって、携帯端末が記憶するデータをバックアップするバックアップサーバ（例えば、バックアップサーバ８０１）を備え、携帯端末（例えば、携帯端末２０１）は、規制制御対象の操作及びデータを示す規制制御情報（例えば、操作／アクセス規制情報１１１）を予め記憶する情報記憶手段（例えば、無線ＩＣタグ１０１）から、無線信号として規制制御情報を読み込む情報読込手段（例えば、無線ＩＣタグ読込手段２１１によって実現される）と、情報読込手段の読込結果に基づいて、当該携帯端末の操作及び当該携帯端末が記憶するデータへのアクセスを規制制御する規制制御手段（例えば、操作／アクセス規制手段２１３によって実現される）と、情報読込手段の読込結果に基づいて、当該携帯端末が記憶するアクセス規制対象のデータをバックアップサーバに送信するアクセス規制対象データ送信手段（例えば、バックアップデータ送受信手段２１５によって実現される）とを含み、バックアップサーバは、携帯端末から受信したアクセス規制対象のデータを、バックアップデータとして記憶するバックアップデータ記憶手段（例えば、バックアップデータベース８１２によって実現される）を含むことを特徴とする。
【００１３】
また、携帯端末規制システムにおいて、携帯端末は、アクセス規制対象のデータ記憶するアクセス規制対象データ記憶手段（例えば、アクセス規制対象データ記憶手段２１４によって実現される）と、バックアップサーバがアクセス規制対象のデータをバックアップデータ記憶手段に記憶させると、アクセス規制対象データ記憶手段からアクセス規制対象のデータを削除するアクセス規制対象データ削除手段（例えば、バックアップデータ送受信手段２１５によって実現される）とを含むものであることが望ましい。
【００１４】
また、携帯端末規制システムにおいて、バックアップサーバは、携帯端末が当該携帯端末の操作及び当該携帯端末が記憶するデータへのアクセスの規制を解除すると、バックアップデータ記憶手段が記憶するバックアップデータを携帯端末に送信するバックアップデータ送信手段（例えば、バックアップデータ送受信手段８１１によって実現される）を含み、携帯端末は、バックアップサーバから受信したバックアップデータをアクセス規制対象データ記憶手段に記憶させることによって、アクセス規制対象のデータを復元するデータ復元手段（例えば、バックアップデータ送受信手段２１５によって実現される）を含むものであってもよい。
【００１５】
また、携帯端末規制システムにおいて、規制制御手段は、情報読込手段が情報記憶手段からの規制制御情報の読み込みに失敗すると、携帯端末の操作及び当該携帯端末が記憶するデータへのアクセスを禁止し、情報読込手段が情報記憶手段からの規制制御情報の読み込みに成功すると、携帯端末の操作及び当該携帯端末が記憶するデータへのアクセスを許可するものであってもよい。
【００１６】
また、携帯端末規制システムにおいて、アクセス規制対象データ送信手段は、情報読込手段が情報記憶手段からの規制制御情報の読み込みに失敗すると、携帯端末が記憶するアクセス規制対象のデータをバックアップサーバに送信するものであってもよい。
【００１７】
また、携帯端末規制システムにおいて、規制制御手段は、情報読込手段が情報記憶手段から読み込んだ規制制御情報に示される携帯端末の操作及び当該携帯端末が記憶するデータへのアクセスを規制制御するものであってもよい。
【００１８】
本発明による携帯端末規制システムの携帯端末は、携帯端末の操作及び携帯端末が記憶するデータへのアクセスを規制制御する携帯端末規制システムが含む携帯端末であって、規制制御対象の操作及びデータを示す規制制御情報を予め記憶する情報記憶手段から、無線信号として規制制御情報を読み込む情報読込手段と、情報読込手段の読込結果に基づいて、当該携帯端末の操作及び当該携帯端末が記憶するデータへのアクセスを規制制御する規制制御手段と、情報読込手段の読込結果に基づいて、当該携帯端末が記憶するアクセス規制対象のデータを、当該携帯端末が記憶するデータをバックアップするバックアップサーバに送信するアクセス規制対象データ送信手段とを備えたことを特徴とする。
【００１９】
本発明による携帯端末規制プログラムは、携帯端末の操作及び携帯端末が記憶するデータへのアクセスを規制制御するための携帯端末規制プログラムであって、コンピュータに、規制制御対象の操作及びデータを示す規制制御情報を予め記憶する情報記憶手段から、無線信号として規制制御情報を読み込む処理と、規制制御情報の読込結果に基づいて、携帯端末の操作及び携帯端末が記憶するデータへのアクセスを規制制御する処理と、情報読込手段の読込結果に基づいて、携帯端末が記憶するアクセス規制対象のデータを、携帯端末が記憶するデータをバックアップするバックアップサーバに送信する処理とを実行させるためのものである。
【００２０】
上記のような構成により、ユーザによる携帯端末操作の手間を省くとともに、情報記憶手段（例えば、無線ＩＣタグ）を用いて自動的に携帯端末の機能を規制したり規制解除したりできる。その際に、セキュリティ対策の必要なデータについては、危険な場所（例えば、無線ＩＣタグが携帯端末からの電波が届かない場所にいるとき）では、データを携帯端末内に保持しないようにし、ネットワーク上のバックアップサーバに退避する。そのため、例えば、無線ＩＣタグが携帯端末からの電波が届かない場所にいる場合には、携帯端末を自動敵にロックできるので、一時的にデータが漏洩するのを防止することができる。また、安全な場所（例えば、無線ＩＣタグが携帯端末からの電波が届く場所にいるとき）では、ネットワーク上のバックアップサーバから受信してデータを復旧する。
【発明の効果】
【００２１】
本発明によれば、携帯端末は、情報記憶手段からの規制制御情報の読込結果に基づいて、携帯端末の操作及び携帯端末が記憶するデータへのアクセスを規制制御する。また、携帯端末は、情報記憶手段からの規制制御情報の読込結果に基づいて、携帯端末が記憶するアクセス規制対象のデータをバックアップサーバに送信する。そして、バックアップサーバは、携帯端末から受信したアクセス規制対象のデータを、バックアップデータとして記憶する。従って、ユーザが設定操作を行わなくても、携帯端末を不正に操作されることを防止したり、携帯端末の紛失時にデータの漏洩を防止することができる。
【００２２】
本発明によれば、ユーザの手動による設定操作ではなく、情報記憶手段を用いた携帯端末の操作規制及び規制解除を行う。また、セキュリティ対策の必要なデータをバックアップサーバに退避させて携帯端末には保持しないようにすることによって、データの漏洩を防止することができる。
【００２３】
本発明によれば、携帯端末のユーザが操作規制の設定操作を行わなくても規制制御できるので、ユーザによる規制制御の設定忘れを防止することができ、携帯端末を不正に操作される事態をより確実に防止することができる。また、本発明によれば、情報記憶手段が電波の届く範囲内にいない場合には、携帯端末内のセキュリティ度の高いデータを退避させるので、携帯端末からデータが漏洩する事態を防止することができる。また、本発明によれば、情報記憶手段と無線通信可能な範囲を基準に規制制御を行うエリアを設定できるので、規制制御を行う安全なエリアをユーザ個人で簡単に設定することができ、情報記憶手段を配置することができる。
【発明を実施するための最良の形態】
【００２４】
以下、本発明の実施の形態について図面を参照して説明する。まず、本発明による携帯端末規制システムの概念を説明する。本発明では、ユーザ個人で情報を書き替え可能な無線ＩＣタグ（ＲＦＩＤタグ）を用いる。また、無線ＩＣタグに携帯端末の操作規制及びデータアクセス規制を解除する種別ビットを予め記憶させる。
【００２５】
また、本発明では、無線ＩＣタグからの電波が届く範囲にいる場合に、携帯端末の操作規制及びデータアクセス規制を解除するように制御する。また、無線ＩＣタグが携帯端末からの電波が届かない範囲にいる場合に、携帯端末の操作やデータアクセスを規制するとともに、携帯端末が記憶する必要データをバックアップサーバに退避させるように制御する。なお、無線ＩＣタグが携帯端末からの電波が届かない範囲にいる場合であっても、規制対象外とする操作やデータについては操作可能及びアクセス可能とする。
【００２６】
図１は、本発明による携帯端末規制システムの構成の一例を示すブロック図である。図１において、無線ＩＣタグ（ＲＦＩＤタグ）１０１と携帯端末（ＵＥ）２０１とは、無線通信可能なある一定距離以内に存在するとする。携帯端末（ＵＥ）２０１は、無線ＩＣタグ（ＲＦＩＤタグ）１０１から、規制解除対象の操作やデータの種別を示す情報を読み込む。そして、携帯端末２０１は、読み込んだ情報に基づいて規制状態を解除する。
【００２７】
また、携帯端末２０１は、その規制を解除した旨の情報を、ＳＩＰサーバ７０１を経由してバックアップサーバ８０１にアップデートすることによって、携帯端末（ＵＥ）２０１とバックアップサーバ８０１との同期を実現する。
【００２８】
バックアップサーバ８０１は、携帯端末２０１が保有するデータのうちアクセス規制対象となっていたデータのバックアップデータを記憶している。バックアップサーバ８０１は、携帯端末（ＵＥ）２０１側でアクセス規制が解除されたことに基づいて、アクセス規制対象となっていたバックアップデータを携帯端末２０１に送信する。そして、携帯端末（ＵＥ）２０１は、受信したバックアップデータに基づいて、アクセス規制対象となっていたデータを復元する。そのようにすることによって、携帯端末２０１から電波を受信可能な範囲（安全な場所の範囲）に無線ＩＣタグ１０１がいるときのみ、携帯端末２０１の操作及びデータへのアクセスを可能とするように制御する。
【００２９】
一方、図１において、無線ＩＣタグ（ＲＦＩＤタグ）１０１と携帯端末（ＵＥ）２０２とは、無線通信不能なある一定距離より離れた位置に存在するとする。この場合、携帯端末（ＵＥ）２０２は、無線ＩＣタグ（ＲＦＩＤタグ）１０１から、規制解除対象の操作やデータの種別を示す情報を取得できない。そのため、携帯端末２０２は、無線ＩＣタグ１０１から情報を読み込めないことに基づいて、携帯端末２０２の操作やデータへのアクセスを規制する旨の情報を、ＳＩＰサーバ７０１を経由してバックアップサーバ８０１にアップデートする。
【００３０】
その後、バックアップサーバ８０１は、規制対象となるデータを携帯端末２０２から受信して、バックアップサーバ８０１が備える磁気ディスク装置等のデータベース装置に退避（記憶）する。そのようにすることによって、携帯端末２０２から電波を受信できない範囲（危険な場所の範囲）に無線ＩＣタグ１０１がいるときには、携帯端末２０２の操作やデータへのアクセスを規制するとともに、携帯端末２０２内の規制対象データをバックアップサーバ８０１に退避させることが可能となる。
【００３１】
次に、携帯端末規制システムの構成について説明する。図１に示すように、携帯端末規制システムは、無線ＩＣタグ（ＲＦＩＤタグ）１０１、携帯端末（ＵＥ）２０１，２０２、無線基地局（ＮｏｄｅＢ）３０１、基地局制御局（ＲＮＣ）４０１、サービスパケットノード（ＳＧＳＮ）５０１、網間ゲートウェイノード（ＧＧＳＮ）６０１、ＳＩＰサーバ７０１及びバックアップサーバ８０１を含む。
【００３２】
無線ＩＣタグ１０１は、携帯端末２０１，２０２の操作のうち許可対象（規制解除対象）の操作を示す情報、及び携帯端末２０１，２０２が記憶するデータのうちアクセスの許可対象（アクセス規制解除対象）のデータを示すデータ種別情報を保持（記憶）する。また、無線ＩＣタグ１０１は、携帯端末２０１，２０２によって情報を読み込まれたり書き込まれたりする。
【００３３】
携帯端末（ＵＥ）２０１，２０２は、無線ＩＣタグ１０１に情報を書き込んだり、無線ＩＣタグ１０１から情報を読み込んだりする機能を備える。また、携帯端末（ＵＥ）２０１，２０２は、無線ＩＣタグ１０１から、規制解除対象の操作やアクセス規制解除対象のデータを示す情報を取得し、規制解除を行って自端末の操作を可能としたりデータへのアクセスを可能とする機能を備える。また、携帯端末（ＵＥ）２０１，２０２は、無線ＩＣタグ１０１から情報を取得できなかった場合、自端末の操作を規制したりデータへのアクセスを規制する制御を行なう機能を備える。また、携帯端末（ＵＥ）２０１，２０２は、アクセス規制対象のデータをバックアップサーバ８０１に送信することによってデータを退避する機能を備える。
【００３４】
なお、図１では、２つの携帯端末２０１，２０２を示しているが、携帯端末規制システムは、３以上の携帯端末を含んでもよい。
【００３５】
無線基地局ＮｏｄｅＢ３０１、基地局制御局ＲＮＣ４０１、サービスパケットノードＳＧＳＮ５０１、網間ゲートウェイノードＧＧＳＮ６０１は、携帯端末（ＵＥ）２０１，２０２とＳＩＰサーバ７０１間のＳＩＰメッセージを中継する機能を備える。すなわち、無線基地局ＮｏｄｅＢ３０１、基地局制御局ＲＮＣ４０１、サービスパケットノードＳＧＳＮ５０１、網間ゲートウェイノードＧＧＳＮ６０１は、それぞれ、ＳＩＰメッセージをやりとりするための透過的なルーティング機能を備える。
【００３６】
ＳＩＰサーバ７０１は、プロキシサーバ、レジストラサーバ及びリダイレクトサーバを包括的に総称して表現したものである。これらのうちプロキシサーバは、ユーザの登録情報やセッション確率情報を他のサーバに転送する機能を備える。また、レジストラサーバは、携帯端末２０１，２０２から送信された登録情報を終端（受信）し、受信した登録情報を変換してバックアップサーバ８０１に送信する機能を備える。リダイレクトサーバは、メッセージを相手ユーザの携帯端末に到達させるための代替ロケーション機能を提供する。
【００３７】
バックアップサーバ８０１は、ＳＩＰサーバ７０１から送信された登録情報に基づいて、携帯端末（ＵＥ）２０１，２０２と同期を取りながら携帯端末２０１，２０２内のデータを退避したり、復元したりする機能を備える。なお、本実施の形態では、「携帯端末２０１，２０２とバックアップサーバ８０１とが同期をとる」等の表現を用いるが、具体的には、携帯端末２０１，２０２とバックアップサーバ８０１とが相互にアクセス規制対象のデータを送受信することによって、アクセス規制対象のデータをバックアップサーバ８０１に記憶させて退避したり、バックアップデータを携帯端末２０１，２０２に送信して携帯端末２０１，２０２内に復元したりすることである。
【００３８】
図２は、無線ＩＣタグ１０１、携帯端末２０１及びバックアップサーバ８０１の具体的な構成を示す機能ブロック図である。図２に示すように、無線ＩＣタグ１０１は、規制制御対象（本例では、規制解除対象）の操作やアクセス規制制御対象（本例では、アクセス規制解除対象）のデータを示す操作／アクセス規制情報１１１を予め記憶する。例えば、無線ＩＣタグ１０１は、操作／アクセス規制情報１１１として、規制制御対象の操作を特定可能なＩＤや、アクセス規制制御対象のデータを特定可能なＩＤを記憶している。
【００３９】
なお、ユーザは、例えば、パーソナルコンピュータ等の情報処理端末を用いて、無線ＩＣタグ１０１への情報の書き込み操作を行うことによって、無線ＩＣタグ１０１が記憶する情報の設定変更を行うことができる。
【００４０】
携帯端末２０１は、具体的には、携帯電話機等の情報処理端末である。また、携帯端末２０１は、例えば、ＰＨＳやＰＤＡ等であってもよい。図２に示すように、携帯端末２０１は、無線ＩＣタグ読込手段２１１、規制情報記憶手段２１２、操作／アクセス規制手段２１３、アクセス規制対象データ記憶手段２１４及びバックアップデータ送受信手段２１５を含む。なお、図２では、携帯端末２０１の構成についてのみ示しているが、携帯端末２０２の構成も同様である。
【００４１】
無線ＩＣタグ読込手段２１１は、具体的には、プログラムに従って動作する携帯端末２０１のＣＰＵによって実現される。無線ＩＣタグ読込手段２１１は、携帯端末２０１が搭載する読取装置（例えば、無線ＩＣタグリーダ）を介して、無線ＩＣタグ１０１から操作／アクセス規制情報１１１を読み込む機能を備える。また、無線ＩＣタグ読込手段２１１は、読み込んだ操作／アクセス規制情報１１１を規制情報記憶手段２１２に記憶させる機能を備える。
【００４２】
規制情報記憶手段２１２は、具体的には、メモリ等の記憶装置によって実現される。規制情報記憶手段２１２は、無線ＩＣタグ読込手段２１１が読み込んだ操作／アクセス規制情報１１１を記憶する。
【００４３】
操作／アクセス規制手段２１３は、具体的には、プログラムに従って動作する携帯端末２０１のＣＰＵ及び送受信部によって実現される。操作／アクセス規制手段２１３は、無線ＩＣタグ読込手段２１１の読み込み結果に基づいて、携帯端末２０１の操作を規制制御する機能を備える。また、操作／アクセス規制手段２１３は、無線ＩＣタグ読込手段２１１の読み込み結果に基づいて、携帯端末２０１内のデータへのアクセス規制制御を行う機能を備える。
【００４４】
本実施の形態では、操作／アクセス規制手段２１３は、無線ＩＣタグ読込手段２１１が無線ＩＣタグ１０１からの操作／アクセス規制情報１１１の読み込みに失敗すると、携帯端末２０１の操作やデータへのアクセスを禁止（規制）するように制御する。また、操作／アクセス規制手段２１３は、無線ＩＣタグ読込手段２１１が無線ＩＣタグ１０１から操作／アクセス規制情報１１１の読み込みに成功すると、携帯端末２０１の操作やデータへのアクセスを許可（規制解除）するように制御する。
【００４５】
また、操作／アクセス規制手段２１３は、無線ＩＣタグ読込手段２１１が操作／アクセス規制情報１１１の読み込みに失敗したときには、携帯端末２０１の操作やデータへのアクセスを規制した旨を示す規制通知情報を、通信ネットワークを介してバックアップサーバ８０１に送信する機能を備える。また、操作／アクセス規制手段２１３は、無線ＩＣタグ読込手段２１１が操作／アクセス規制情報１１１の読み込みに成功したときには、携帯端末２０１の操作やデータへのアクセスを規制解除した旨を示す規制解除通知情報を、通信ネットワークを介してバックアップサーバ８０１に送信する機能を備える。
【００４６】
なお、携帯端末２０１とバックアップサーバ８０１とが送受信を行う場合、図１に示すように、無線伝搬路や無線基地局３０１、基地局制御局４０１、サービスパケットノード５０１、網間ゲートウェイノード６０１、ＳＩＰサーバ７０１を介して送受信を行うが、本実施の形態では、単に「携帯端末２０１とバックアップサーバ８０１とが通信ネットワークを介して送受信を行う」等と表現する。
【００４７】
アクセス規制対象データ記憶手段２１４は、具体的には、メモリ等の記憶装置によって実現される。アクセス規制対象データ記憶手段２１４は、アクセス規制対象となるデータを含む各種データを記憶する。
【００４８】
バックアップデータ送受信手段２１５は、具体的には、プログラムに従って動作する携帯端末２０１のＣＰＵ及び送受信部によって実現される。バックアップデータ送受信手段２１５は、バックアップサーバ８０１から、通信ネットワークを介してバックアップデータを受信し、アクセス規制対象データ記憶手段２１４に記憶させる機能を備える。また、バックアップデータ送受信手段２１５は、アクセス規制対象のデータをアクセス規制対象データ記憶手段２１４から抽出し、通信ネットワークを介してバックアップサーバ８０１に送信する機能を備える。また、バックアップデータ送受信手段２１５は、アクセス規制対象のデータをアクセス規制対象データ記憶手段２１４から削除する機能を備える。
【００４９】
バックアップサーバ８０１は、例えば、通信キャリア（例えば、携帯電話サービスを提供する通信キャリア）によって運営される。バックアップサーバ８０１は、具体的には、ワークステーションやパーソナルコンピュータ等の情報処理装置によって実現される。図２に示すように、バックアップサーバ８０１は、バックアップデータ送受信手段８１１及びバックアップデータベース８１２を含む。
【００５０】
バックアップデータ送受信手段８１１は、具体的には、プログラムに従って動作するバックアップサーバ８０１のＣＰＵ及びネットワークインタフェース部によって実現される。バックアップデータ送受信手段８１１は、携帯端末２０１から規制解除通知情報を受信したことに基づいて、バックアップデータベース８１２からバックアップデータを抽出し、通信ネットワークを介して携帯端末２０１に送信する機能を備える。また、バックアップデータ送受信手段８１１は、アクセス規制対象のデータを、通信ネットワークを介して携帯端末２０１から受信し、バックアップデータベース８１２に記憶させる機能を備える。
【００５１】
バックアップデータベース８１２は、具体的には、磁気ディスク装置や光ディスク装置等のデータベース装置によって実現される。バックアップデータベース８１２は、携帯端末２０１のアクセス規制対象のデータをバックアップデータとして記憶する。なお、バックアップデータベース８１２は、各バックアップデータを、携帯端末２０１を識別可能な識別情報（例えば、端末ＩＤ）に対応付けて記憶する。
【００５２】
なお、本実施の形態において、携帯端末２０１の記憶装置（図示せず）は、携帯端末２０１の操作やデータへのアクセスを規制制御するための各種プログラムを記憶している。例えば、携帯端末２０１の記憶装置は、コンピュータに、規制制御対象の操作及びデータを示す規制制御情報を予め記憶する情報記憶手段から、無線信号として規制制御情報を読み込む処理と、規制制御情報の読込結果に基づいて、携帯端末の操作及び携帯端末が記憶するデータへのアクセスを規制制御する処理と、情報読込手段の読込結果に基づいて、携帯端末が記憶するアクセス規制対象のデータを、携帯端末が記憶するデータをバックアップするバックアップサーバに送信する処理とを実行させるための携帯端末規制プログラムを記憶している。
【００５３】
次に、動作について説明する。図３は、携帯端末２０１の操作やデータへのアクセスを規制制御する処理の一例を示す流れ図である。携帯端末２０１は、例えば、所定時間毎に無線ＩＣタグ１０１から繰り返し操作／アクセス規制情報１１１を読み込む。また、携帯端末２０１は、例えば、電源をオンしたときやユーザが操作したとき等の所定のタイミングで、無線ＩＣタグ１０１から操作／アクセス規制情報１１１を読み込んでもよい。
【００５４】
まず、無線ＩＣタグ１０１と携帯端末２０１とが無線通信可能な範囲より離れた位置にいて、携帯端末２０１の操作やデータへのアクセスが禁止されている状態であったとする。この状態から無線ＩＣタグ１０１と携帯端末２０１とが無線通信可能な距離以内にいる状態となると、携帯端末２０１の無線ＩＣタグ読込手段２１１は、無線ＩＣタグ１０１からの操作／アクセス規制情報１１１の読み込みに成功する（ステップＳ１０１）。
【００５５】
次いで、操作／アクセス規制手段２１３は、無線ＩＣタグ読込手段２１１が操作／アクセス規制情報１１１の読み込みに成功したことに基づいて、携帯端末２０１の操作やデータへのアクセスを許可すると判定する（ステップＳ１０２）。この場合、操作／アクセス規制手段２１３は、操作／アクセス規制情報１１１に示される操作やデータへのアクセスを許可すると判定する。
【００５６】
次いで、操作／アクセス規制手段２１３は、携帯端末２０１の操作やデータへのアクセスを許可すると判定すると、操作／アクセス規制情報１１１に示される操作を操作可能な状態（規制解除）に制御する。また、操作／アクセス規制手段２１３は、規制解除通知情報を、通信ネットワークを介してバックアップサーバ８０１に送信し、バックアップデータのダウンロードを要求する（ステップＳ１０３）。この場合、例えば、操作／アクセス規制手段２１３は、規制解除通知情報とともに、携帯端末２０１を特定可能な端末ＩＤをバックアップサーバ８０１に送信する。
【００５７】
バックアップサーバ８０１のバックアップデータ送受信手段８１１は、規制解除通知情報を受信すると、バックアップデータベース８１２からバックアップデータを抽出し、通信ネットワークを介して携帯端末２０１に送信する（ステップＳ１０４）。この場合、例えば、バックアップデータ送受信手段８１１は、規制解除通知情報とともに受信した端末ＩＤに基づいてバックアップデータベース８１２を検索し、端末ＩＤに対応するバックアップデータをバックアップデータベース８１２から抽出する。
【００５８】
携帯端末２０１のバックアップデータ送受信手段２１５は、バックアップデータを受信すると、受信したバックアップデータをアクセス規制対象データ記憶手段２１４に記憶させる（ステップＳ１０５）。
【００５９】
なお、バックアップデータベース８１２には、以前に携帯端末２０１が操作やデータへのアクセスを禁止する制御を行った際のアクセス規制対象データがバックアップデータとして格納されている。そして、バックアップサーバ８０１が携帯端末２０１からの要求に応じてバックアップデータを携帯端末２０１に送信し、携帯端末２０１がバックアップデータをアクセス規制対象データ記憶手段２１４に格納することによって、携帯端末２０１側で操作やデータへのアクセスが禁止される前のアクセス規制対象データが復元される。
【００６０】
以上のように、ステップＳ１０１〜Ｓ１０５の処理が実行されることによって、無線ＩＣタグ１０１に予め記憶された操作／アクセス規制情報１１１に示される操作が許可されるとともに、規制開始前のデータが携帯端末２０１側で復元される。
【００６１】
無線ＩＣタグ１０１と携帯端末２０１とが無線通信可能な距離以内にいる間、無線ＩＣタグ読込手段２１１は、繰り返し無線ＩＣタグ１０１から操作／アクセス規制情報１１１の読み込みを可能な状態となる。この間、操作／アクセス規制手段２１３は、携帯端末２０１の操作やデータへのアクセスを可能な状態に制御し続ける。なお、操作／アクセス規制手段２１３は、無線ＩＣタグ１０１から操作／アクセス規制情報１１１の読み込みを可能な状態から不能な状態に変化したとき、又は無線ＩＣタグ１０１から操作／アクセス規制情報１１１の読み込みを不能な状態から可能な状態に変化したときのみ、規制解除通知情報や規制通知情報を送信するようにしればよい。
【００６２】
その後、無線ＩＣタグ１０１と携帯端末２０１との位置が無線通信可能な範囲より離れた位置に変化すると、携帯端末２０１の無線ＩＣタグ読込手段２１１は、無線ＩＣタグ１０１からの操作／アクセス規制情報１１１の読み込みに失敗する（ステップＳ１０６）。
【００６３】
次いで、操作／アクセス規制手段２１３は、無線ＩＣタグ読込手段２１１が操作／アクセス規制情報１１１の読み込みに失敗したことに基づいて、携帯端末２０１の操作やデータへのアクセスを禁止（規制）すると判定する（ステップＳ１０７）。この場合、操作／アクセス規制手段２１３は、例えば、規制情報記憶手段２１２に記憶している操作／アクセス規制情報１１１に示される操作やデータへのアクセスを禁止すると判定する。
【００６４】
次いで、操作／アクセス規制手段２１３は、携帯端末２０１の操作やデータへのアクセスを禁止すると判定すると、例えば、操作／アクセス規制情報１１１に示される操作を禁止状態（規制状態）に制御する（ステップＳ１０８）。この場合、操作／アクセス規制手段２１３は、例えば、規制情報記憶手段２１２に記憶する操作／アクセス規制情報１１１に示される操作を禁止状態に制御する。
【００６５】
また、操作／アクセス規制手段２１３は、規制通知情報を、通信ネットワークを介してバックアップサーバ８０１に送信する。この場合、例えば、操作／アクセス規制手段２１３は、規制通知情報とともに、携帯端末２０１を特定可能な端末ＩＤをバックアップサーバ８０１に送信する。
【００６６】
また、バックアップデータ送受信手段２１５は、アクセス規制対象データ記憶手段２１４からアクセス規制対象のデータを抽出し、通信ネットワークを介してバックアップサーバ８０１に送信する（ステップＳ１０９）。この場合、バックアップデータ送受信手段２１５は、例えば、規制情報記憶手段２１２に記憶する操作／アクセス規制情報１１１に示されるデータを、アクセス規制対象データとして抽出する。
【００６７】
バックアップサーバ８０１のバックアップデータ送受信手段８１１は、規制通知情報及びアクセス規制対象データを受信すると、受信したアクセス規制対象データをバックアップデータとしてバックアップデータベース８１２に記憶させる（ステップＳ１１０）。この場合、例えば、バックアップデータ送受信手段８１１は、規制通知情報とともに受信した端末ＩＤに対応付けて、アクセス規制対象データをバックアップデータベース８１２に記憶させる。なお、例えば、バックアップデータ送受信手段８１１は、アクセス規制対象データのバックアップデータベース８１２への格納を完了すると、アクセス規制対象データの格納を完了した旨を示す格納完了通知情報を、通信ネットワークを介して携帯端末２０１に送信する。
【００６８】
その後、携帯端末２０１のバックアップデータ送受信手段２１５は、アクセス規制対象データをアクセス規制対象データ記憶手段２１４から削除する（ステップＳ１１１）。例えば、バックアップデータ送受信手段２１５は、バックアップサーバ８０１から格納完了通知を受信すると、アクセス規制対象データをアクセス規制対象データ記憶手段２１４から削除する。
【００６９】
以上のように、ステップＳ１０６〜Ｓ１１１の処理が実行されることによって、無線ＩＣタグ１０１に予め記憶された操作／アクセス規制情報１１１に示される操作が規制されるとともに、アクセス規制対象のデータがバックアップサーバ８０１に退避される。
【００７０】
次に、具体例を用いて、無線ＩＣタグ１０１の情報を携帯端末２０１が読み込み、携帯端末２０１の操作及びデータアクセスを許可するまでの動作を説明する。まず、図４に示すように、無線ＩＣタグ（ＲＦＩＤタグ）１０１と携帯端末（ＵＥ）２０１とが無線通信可能なある一定距離以内に存在するものとし、無線ＩＤタグ（ＲＦＩＤタグ）１０２が携帯端末２０１から無線通信可能な一定距離以内に存在しないものとする。
【００７１】
携帯端末（ＵＥ）２０１は、無線ＩＣタグ（ＲＦＩＤタグ）１０１から許可対象の操作やアクセス許可対象のデータを示す情報（操作／アクセス規制情報１１１）を読み込む。すると、携帯端末（ＵＥ）２０１は、許可対象の操作やデータへのアクセス規制を解除し、無線ＩＣタグ１０１と同期する。例えば、図４に示す例では、携帯端末２０１は、発呼の操作を許可状態にに制御するとともに、アドレス帳へのアクセスを許可状態に制御する。
【００７２】
なお、無線ＩＣタグ（ＲＦＩＤタグ）１０２については、無線通信可能な一定距離以内に存在しないので、携帯端末２０１の規制制御には影響しない。例えば、図４に示す例では、メールＢＯＸへのアクセスについては規制したままの状態に制御する。
【００７３】
次いで、図５に示すように、携帯端末（ＵＥ）２０１は、無線ＩＣタグ１０１から取得した情報（操作／アクセス規制情報１１１）を、ＳＩＰリクエストメッセージに載せて送信する。
【００７４】
ＳＩＰのメッセージフォーマットは、図５に示すように、状態行４１１、ヘッダ４１２、空白行４１３及びメッセージボディ４１４とを含む。ＳＩＰサーバ７０１（具体的には、プロキシサーバ）は、メッセージ中のメッセージボディの検証を行わないため、ＳＩＰサーバ７０１とバックアップサーバ８０１との間で決められた独自フォーマットでメッセージボディを記述することは可能である。そのため、ＳＩＰサーバ７０１とバックアップサーバ８０１との間で決められたフォーマットに従って、無線ＩＣタグ１０１から読み込んだ情報に示される機能操作種別やデータ種別の情報を登録したメッセージボディ５１１を含むメッセージをバックアップサーバ８０１に転送する。
【００７５】
次いで、図６に示すように、バックアップサーバ８０１は、携帯端末（ＵＥ）２０１においてデータアクセスが許可されたと判断すると、復元データ４２１（バックアップデータ）を、携帯端末（ＵＥ）２０１に対して送信する。そして、携帯端末２０１でデータ復元後、携帯端末（ＵＥ）２０１においてデータのアクセスが可能となる。
【００７６】
一方、無線ＩＣタグ１０１からの情報を読み込めずに、携帯端末２０１の操作及びデータアクセスを規制してデータをバックアップするまでの動作を具体例を用いて説明する。図４に示すように、無線ＩＣタグ（ＲＦＩＤタグ）１０２と携帯端末（ＵＥ）２０１とは、無線通信可能なある一定距離の範囲外に存在するとし、携帯端末（ＵＥ）２０１は、無線ＩＤタグ（ＲＦＩＤタグ）１０２と無線通信が行えないもとする。この場合、携帯端末（ＵＥ）２０１は、携帯端末２０１の操作やデータへのアクセスを規制（禁止）するように制御する。
【００７７】
次いで、図５に示すように、携帯端末（ＵＥ）２０１は、ＳＩＰリクエストメッセージに載せてバックアップ対象のデータ種別情報を送信する。ＳＩＰサーバ７０１は、リクエストメッセージを受け付け、バックアップ対象データのバックアップの実行を指示するメッセージをバックアップサーバ８０１に転送する。
【００７８】
次いで、バックアップサーバ８０１は、携帯端末２０１からアクセス規制対象データを受信し、データベース装置に記憶してバックアップする。この場合、図７に示すように、例えば、バックアップサーバ８０１内に既に退避されているデータと携帯端末（ＵＥ）２０１内のデータとの差分をとり、差分があるデータ（差分データ）４３１のみをバックアップサーバ８０１にアップデートするようにしてもよい。また、携帯端末（ＵＥ）２０１内に保持されているデータは、バックアップサーバ８０１への転送完了後に削除される。
【００７９】
例えば、バックアップサーバ８０１は、携帯端末２０１からアクセス規制対象データを受信すると、バックアップデータベース８１２が既に記憶するバックアップデータと受信データとの差分データを求める。そして、バックアップサーバ８０１は、求めた差分データをバックアップデータベース８１２に記憶させることによって、バックアップデータを更新する。また、バックアップサーバ８０１は、バックアップデータと受信データとの差分がない場合には、バックアップデータベース８１２が既に記憶するバックアップデータをそのまま保持する。
【００８０】
また、例えば、バックアップサーバ８０１は、バックアップデータベース８１２が既に記憶するバックアップデータを携帯端末２０１に送信する。次いで、携帯端末２０１は、アクセス規制対象データと受信したバックアップデータとの差分データを求める。そして、携帯端末２０１は、求めた差分データを、通信ネットワークを介してバックアップサーバ８０１に送信する。また、携帯端末２０１は、アクセス規制対象データとバックアップデータとの差分がない場合には、アクセス規制対象データを送信することなく、そのまま削除してもよい。
【００８１】
以上のように、本実施の形態によれば、携帯端末２０１は、無線ＩＣタグ１０１からの操作／アクセス規制情報１１１の読み込み結果に基づいて、携帯端末２０１の操作や携帯端末２０２が記憶するデータへのアクセスを規制制御する。また、携帯端末２０１は、無線ＩＣタグ１０１からの操作／アクセス規制情報１１１の読み込み結果に基づいて、携帯端末２０１が記憶するアクセス規制対象のデータをバックアップサーバ８０１に送信する。そして、バックアップサーバ８０１は、携帯端末２０１から受信したアクセス規制対象のデータを、バックアップデータとしてバックアップデータベース８１２に記憶する。従って、ユーザが設定操作を行わなくても、携帯端末２０１を不正に操作されることを防止したり、携帯端末２０１の紛失時にデータの漏洩を防止することができる。
【００８２】
すなわち、本実施の形態によれば、ユーザの手動による設定操作ではなく、無線ＩＣタグ１０１を用いた携帯端末２０１の操作規制及び規制解除を行う。また、セキュリティ対策の必要なデータをバックアップサーバ８０１に退避させて携帯端末２０１には保持しないようにすることによって、データの漏洩を防止することができる。
【００８３】
具体的には、本実施の形態によれば、携帯端末２０１のユーザが操作規制の設定操作を行わなくても規制制御できるので、ユーザによる規制制御の設定忘れを防止することができ、携帯端末２０１を不正に操作される事態をより確実に防止することができる。また、本実施の形態によれば、無線ＩＣタグ１０１が電波の届く範囲内にいない場合には、携帯端末２０１内のセキュリティ度の高いデータを退避させるので、携帯端末２０１からデータが漏洩する事態を防止することができる。また、本実施の形態によれば、無線ＩＣタグ１０１と無線通信可能な範囲を基準に規制制御を行うエリアを設定できるので、規制制御を行う安全なエリアをユーザ個人で簡単に設定することができ、無線ＩＣタグ１０１を配置することができる。
【００８４】
なお、本実施の形態において、例えば、複数の異なる操作や複数の異なるデータ種別のデータへのアクセス規制解除を指定する情報を記憶した無線ＩＣタグを用いるようにしてもよい。
【００８５】
また、本実施の形態において、携帯端末２０１の操作やデータへのアクセス規制を解除するための情報を無線ＩＣタグ１０１に予め記憶するのではなく、携帯端末２０１の操作やデータへのアクセスを規制（禁止）するための情報を無線ＩＣタグ１０１に予め記憶するようにしてもよい。図８は、携帯端末２０１の操作やデータへのアクセスを規制（禁止）するための情報を無線ＩＣタグ１０１に予め記憶した場合の例を示す説明図である。なお、図８では、説明を簡単にするために、無線ＩＣタグを３つ用いた場合を説明するが、４以上の無線ＩＣタグを用いてもよいし、１又は２つの無線ＩＣタグを用いてもよい。
【００８６】
図８に示すように、無線ＩＣタグ（ＲＦＩＤタグ）１０１，１０２は、発呼操作の規制を解除するための情報を記憶するものとし、無線ＩＣタグ（ＲＦＩＤタグ）１０３は、発呼操作を規制（禁止）するための情報を記憶しているものとする。そして、全ての無線ＩＣタグ１０１〜１０３が携帯端末（ＵＥ）２０１と無線通信可能な一定距離以内にいるものとする。この場合、携帯端末２０１は、いずれか１つの無線ＩＣタグから、発呼操作を規制するための情報を読み込んだ場合には、発呼操作を規制するように制御する。そのように、携帯端末２０１は、複数の無線ＩＣタグから情報を読み込める場合には、読み込んだ情報のうち、発呼操作の規制を解除するための情報よりも、発呼操作を規制するための情報を優先して、発呼操作を規制するように制御する。
【産業上の利用可能性】
【００８７】
本発明は、携帯端末の操作を規制制御したり、携帯端末内のデータへのアクセスを規制制御する用途に適用できる。
【図面の簡単な説明】
【００８８】
【図１】本発明による携帯端末規制システムの構成の一例を示すブロック図である。
【図２】無線ＩＣタグ、携帯端末及びバックアップサーバの具体的な構成を示す機能ブロック図である。
【図３】携帯端末の操作やデータへのアクセスを規制制御する処理の一例を示す流れ図である。
【図４】無線ＩＣタグ、携帯端末、及び無線ＩＣタグが記憶する情報の具体例を示す説明図である。
【図５】携帯端末からバックアップサーバにＳＩＰリクエストメッセージを送信する動作の具体例を示す説明図である。
【図６】バックアップサーバから携帯端末に復元データを送信する動作の具体例を示す説明図である。
【図７】携帯端末からバックアップサーバに規制対象データを送信する動作の具体例を示す説明図である。
【図８】携帯端末の操作やデータへのアクセスを規制するための情報を無線ＩＣタグに予め記憶した場合の例を示す説明図である。
【符号の説明】
【００８９】
１０１  無線ＩＣタグ
１１１  操作／アクセス規制情報
２０１，２０２  携帯端末
２１１  無線ＩＣタグ読込手段
２１２  規制情報記憶手段
２１３  操作／アクセス規制手段
２１４  アクセス規制対象データ記憶手段
２１５  バックアップデータ送受信手段
３０１  無線基地局
４０１  基地局制御局
５０１  サービスパケットノード
６０１  網間ゲートウェイノード
７０１  ＳＩＰサーバ
８０１  バックアップサーバ
８１１  バックアップデータ送受信手段
８１２  バックアップデータベース
【図１】
2008177736.tif 000003
【図２】
2008177736.tif 000004
【図３】
2008177736.tif 000005
【図４】
2008177736.tif 000006
【図５】
2008177736.tif 000007
【図６】
2008177736.tif 000008
【図７】
2008177736.tif 000009
【図８】
2008177736.tif 000010